(57)【要約】【課題】ＴＶチューナを内蔵する情報処理装置において、チャネルスキャンが必要なときには、ユーザがそのための操作をすることなく、自動的にチャネルスキャンを実行することができる情報処理装を提供する。【解決手段】本発明に係る情報処理装置は、テレビジョン放送を受信するチューナと、本装置の使用状況を監視し、受信可能な前記テレビジョン放送のチャネルを検出するためのチャネルスキャンを実行するか否かを判断する監視部と、監視部でチャネルスキャンを実行すると判断された場合は、チャネルスキャンをチューナに実行させるスキャン制御部と、テレビジョン放送の映像を表示する表示部と、を備えたことを特徴とする。【選択図】  図５
2009290587.tif 000002
【特許請求の範囲】
【請求項１】
テレビジョン放送を受信するチューナと、
本装置の使用状況を監視し、受信可能な前記テレビジョン放送のチャネルを検出するためのチャネルスキャンを実行するか否かを判断する監視部と、
前記監視部で前記チャネルスキャンを実行すると判断された場合は、前記チャネルスキャンを前記チューナに実行させるスキャン制御部と、
前記テレビジョン放送の映像を表示する表示部と、
を備えたことを特徴とする情報処理装置。
【請求項２】
複数の前記チューナを具備し、
前記スキャン制御部は、前記複数のチューナのうち受信中ではないチューナに対して前記チャネルスキャンを実行させる、
ことを特徴とする請求項１に記載の情報処理装置。
【請求項３】
前記監視部は、
前記映像を前記表示部に表示可能とするための操作が本装置になされたことを検出したときに、前記チャネルスキャンを実行すると判断する、
ことを特徴とする請求項１に記載の情報処理装置。
【請求項４】
前記表示可能とするための操作は、本装置の電源をオンとする操作、節電モードから復帰させるための操作、及びスクリーンセイバーモードから復帰させるための操作を少なくとも含む、
ことを特徴とする請求項３に記載の情報処理装置。
【請求項５】
前記監視部は、
前記複数のチューナのうち、受信中のチューナの受信レベル又は受信品質が所定値よりも低下したときに、前記チャネルスキャンを実行すると判断する、
ことを特徴とする請求項２に記載の情報処理装置。
【請求項６】
地域と、その地域に割り当てられているチャネルのリストとが関連付けられて記憶されている記憶部と、
本装置が使用されている地域又は位置を検出する地域検出部と、をさらに備え、
前記スキャン制御部は、
前記地域検出部で検出された地域に関連付けられている前記チャンネルのリストを前記記憶部から読み出し、読み出した前記チャンネルのリストに基づいて前記チャネルスキャンを前記チューナに実行させる、
ことを特徴とする請求項１に記載の情報処理装置。
【請求項７】
位置と、その位置において過去に受信できたチャネルのリストとが関連付けられたチャネルリスト履歴が記憶されている第２の記憶部、をさらに備え、
前記スキャン制御部は、
前記地域検出部で検出された位置に関連付けられている前記チャネルリスト履歴を前記第２の記憶部から読み出し、読み出した前記チャネルリスト履歴内のチャネルから優先的に前記チャネルスキャンを前記チューナに実行させ、
前記チャネルスキャンの実行結果に基づいて前記第２の記憶部に記憶されている前記チャネルリスト履歴を更新する、
ことを特徴とする請求項６に記載の情報処理装置。
【請求項８】
本装置の姿勢角を検出する姿勢角検出部、をさらに備え、
前記チャネルリスト履歴には、過去に受信できたときに前記姿勢角検出部で検出された前記姿勢角も関連付けられており、
前記スキャン制御部は、
前記地域検出部で検出された位置及び前記姿勢角検出部で検出された姿勢角に関連付けられた前記チャネルリスト履歴を前記第２の記憶部から読み出して、前記チャネルスキャンを前記チューナに実行させる、
ことを特徴とする請求項７に記載の情報処理装置。
【請求項９】
テレビジョン放送をチューナで受信し、
装置の使用状況を監視し、受信可能な前記テレビジョン放送のチャネルを検出するためのチャネルスキャンを実行するか否かを判断し、
前記チャネルスキャンを実行すると判断した場合は、前記チャネルスキャンを前記チューナに実行させ、
前記テレビジョン放送の映像を表示部に表示する、
ステップを備えたことを特徴とする情報処理装置のチャネルスキャン方法。
【請求項１０】
前記実行させるステップでは、複数のチューナのうち受信中ではないチューナに対して前記チャネルスキャンを実行させる、
ことを特徴とする請求項９に記載の情報処理装置のチャネルスキャン方法。
【請求項１１】
前記判断するステップでは、
前記映像を前記表示部に表示可能とするための操作が前記装置になされたことを検出したときに、前記チャネルスキャンを実行すると判断する、
ことを特徴とする請求項９に記載の情報処理装置のチャネルスキャン方法。
【請求項１２】
前記表示可能とするための操作は、電源をオンとする操作、節電モードから復帰させるための操作、及びスクリーンセイバーモードから復帰させるための操作を少なくとも含む、
ことを特徴とする請求項１１に記載の情報処理装置のチャネルスキャン方法。
【請求項１３】
前記判断するステップでは、
前記複数のチューナのうち、受信中のチューナの受信レベル又は受信品質が所定値よりも低下したときに、前記チャネルスキャンを実行すると判断する、
ことを特徴とする請求項１０に記載の情報処理装置のチャネルスキャン方法。
【請求項１４】
地域に関連付けて割り当てられているチャネルのリストを記憶し、
本装置が使用されている地域又は位置を検出する、ステップをさらに備え、
前記実行させるステップでは、
前記検出するステップで検出された地域に関連付けられている前記チャンネルのリストを読み出し、読み出した前記チャンネルのリストに基づいて前記チャネルスキャンを前記チューナに実行させる、
ことを特徴とする請求項９に記載の情報処理装置のチャネルスキャン方法。
【請求項１５】
位置と、その位置において過去に受信できたチャネルのリストとが関連付けられたチャネルリスト履歴を記憶するステップ、をさらに備え、
前記実行させるステップでは、
検出された前記位置に関連付けられている前記チャネルリスト履歴を読み出し、読み出した前記チャネルリスト履歴内のチャネルから優先的に前記チャネルスキャンを前記チューナに実行させ、
前記チャネルスキャンの実行結果に基づいて前記チャネルリスト履歴を更新する、
ことを特徴とする請求項１４に記載の情報処理装置のチャネルスキャン方法。
【請求項１６】
本装置の姿勢角を検出する、ステップをさらに備え、
前記チャネルリスト履歴には、過去に受信できたときに検出された前記姿勢角も関連付けられており、
前記実行させるステップでは、
検出された前記位置及び検出された前記姿勢角に関連付けられた前記チャネルリスト履歴を読み出して、前記チャネルスキャンを前記チューナに実行させる、
ことを特徴とする請求項１５に記載の情報処理装置のチャネルスキャン方法。
【発明の詳細な説明】
【技術分野】
【０００１】
本発明は、情報処理装置及びそのチャネルスキャン方法に係り、特に、ＴＶチューナを内蔵する情報処理装置及びそのチャネルスキャン方法に関する。
【背景技術】
【０００２】
地上波デジタルテレビジョン放送が開始されて以来、従来のアナログテレビジョン放送よりもはるかに高品質なデジタルテレビジョン放送を視聴することが可能な携帯電話やノートブック型パーソナルコンピュータ等の携帯型の情報処理装置が急速に普及してきている。
【０００３】
わが国では、それぞれの地域によって視聴可能なチャネルが予め割り当てられているが、電波の伝播状況等によって割り当てられたチャネルがその地域で総て視聴できるわけではない。そこで、通常のＴＶ受信装置では、チャネルを自動的に切り替えながらその地域において受信可能なチャネルを検出する機能を有している。この機能をチャネルスキャンと呼んでいる。検出された受信可能チャネルは、受信可能チャネルリストとして装置内に登録され、視聴者はこの受信可能チャネルリストの中からその地域で確実に受信することができるチャネルを素早く選択することができる。
【０００４】
携帯型の情報処理装置はそもそも移動を伴った使用を前提としており、ＴＶチューナを内蔵する携帯型の情報処理装置では、使用される地域に応じて受信可能チャネルリストを更新する必要がある。受信可能チャネルリストの更新は、手動で設定することも可能であるが、前述したチャネルスキャンを移動した地域で実施して更新する場合が多い。
【０００５】
また、同じチャネルが割り当てられている地域内であっても、携帯型の情報処理装置の使用場所を変更することによって電波の受信状態は異なってくる。
【０００６】
特許文献１には、テレビジョン放送が受信可能な携帯電話機等の携帯機器において、チャネルスキャンボタンを押下することによってチャネルスキャンを実施し、受信可能チャネルをその装置の表示部に表示させる技術が開示されている。
【特許文献１】特開２００５−３２８２４６号公報
【発明の開示】
【発明が解決しようとする課題】
【０００７】
しかしながら、特許文献１が開示する技術も含めた従来のチャネルスキャンでは、チャネルスキャンを開始するための専用の操作（特許文献１の例では、チャネルスキャンボタンを押下する操作）をユーザが行う必要がある。このため、携帯機器の位置の変化に伴って受信状態が頻繁に変わる場合には、その都度チャネルスキャン開始のための操作を行う必要があり、煩雑である。
【０００８】
また、通常ユーザがチャネルスキャンを行う場合は、ユーザがまさにテレビジョン放送を視聴しよう思っているときであると考えられるが、チャネルスキャンを開始してから完了するまでには所定の処理時間が必要となる。ユーザはこの処理時間の間は待たざるを得ず、見たい番組がすぐに見ることができないため不便である。
【０００９】
本発明は上記事情に鑑みてなされたものであり、ＴＶチューナを内蔵する情報処理装置において、チャネルスキャンが必要なときには、ユーザがそのための操作をすることなく、自動的にチャネルスキャンを実行することができる情報処理装置及びそのチャネルスキャン方法を提供することを目的とする。
【課題を解決するための手段】
【００１０】
上記課題を解決するため、本発明に係る情報処理装置は、テレビジョン放送を受信するチューナと、本装置の使用状況を監視し、受信可能な前記テレビジョン放送のチャネルを検出するためのチャネルスキャンを実行するか否かを判断する監視部と、前記監視部で前記チャネルスキャンを実行すると判断された場合は、前記チャネルスキャンを前記チューナに実行させるスキャン制御部と、前記テレビジョン放送の映像を表示する表示部と、を備えたことを特徴とする。
【００１１】
また、本発明に係る情報処理装置のチャネルスキャン方法は、テレビジョン放送をチューナで受信し、装置の使用状況を監視し、受信可能な前記テレビジョン放送のチャネルを検出するためのチャネルスキャンを実行するか否かを判断し、前記チャネルスキャンを実行すると判断した場合は、前記チャネルスキャンを前記チューナに実行させ、前記テレビジョン放送の映像を表示部に表示する、ステップを備えたことを特徴とする。
【発明の効果】
【００１２】
本発明に係る情報処理装置及びそのチャネルスキャン方法によれば、ＴＶチューナを内蔵する情報処理装置において、チャネルスキャンが必要なときには、ユーザがそのための操作をすることなく、自動的にチャネルスキャンを実行することができる。
【発明を実施するための最良の形態】
【００１３】
本発明に係る情報処理装置及びそのチャネルスキャン方法の実施形態について、添付図面を参照して説明する。
【００１４】
（１）第１の実施形態
図１は、第１の実施形態に係る情報処理装置１の構成例を示すハードウェアブロック図である。
【００１５】
情報処理装置１は、例えば携帯型のパーソナルコンピュータであり、テレビジョン放送が受信できるように構成されている。
【００１６】
情報処理装置１は、各種の情報処理や制御をプログラムに従って実行するＣＰＵ１０１を具備しており、ＣＰＵ１０１に接続されるホストハブ１０２やＩ／Ｏハブ１０６を介して各種のデバイスが接続されている。ホストハブ１０２には、プログラムのワーキングエリアとして機能する主メモリ１０３やグラフィックコントローラ１０４が接続されている。グラフィックコントローラ１０４にはＬＣＤ（Liquid  Crystal  Display）等で構成される表示部１０５が接続されている。表示部１０５には、各種の文字情報や画像情報が表示される他、受信したテレビジョン放送の映像や録画した映像も表示される。
【００１７】
Ｉ／Ｏハブ１０６には、ＨＤＤ（Hard  Disk  Drive）１０７、ＤＶＤドライブ１１０、サウンドコントローラ１０８、ＢＩＯＳＲＯＭ１１１等が接続されている。ＨＤＤ１０７には、各種のプログラムやデータが保存される他、受信したテレビジョン放送を録画することもできる。また、サウンドコントローラ１０８にはスピーカ１０９が接続されており、テレビジョン放送の音声はスピーカ１０９から出力される。ＢＩＯＳＲＯＭ１１１には情報処理装置１の起動時に最初に実行されるＢＩＯＳ（Basic  Input/Output  System）が記憶されている。
【００１８】
また、Ｉ／Ｏハブ１０６には、ＬＰＣ（Low  Pin  Count）バス１１２や、ＰＣＩ／ＵＳＢバス１１７を介して、各種の周辺装置が接続されている。
【００１９】
ＬＰＣバス１１２には、埋め込み型のプロセッサであるＥＣ／ＫＢＣ（Embedded  Controller/Key  Board  Controller）１１３が接続されており、ＥＣ／ＫＢＣ１１３には、キーボード１１４、マウス等のポインティングデバイス１１５、電源コントローラ１１６等が接続されている。この他、情報処理装置１の電源スイッチ（図示せず）や、情報処理装置１がノートブック型パーソナルコンピュータの場合には表示部１０５の開閉を検出するスイッチ（図示せず)等もＥＣ／ＫＢＣ１１３に接続されている。
【００２０】
ユーザの情報処理装置１に対する操作（キーボード１１４、ポインティングデバイス１１５、電源スイッチに対する操作や、表示部１０５の開閉操作）に関する情報は、ＥＣ／ＫＢＣ１１３を介してＣＰＵ１０１で実行されているプログラムに伝達される。従って、情報処理装置１の使用状況は、ＥＣ／ＫＢＣ１１３から出力される操作情報を監視することによってプログラムが認識することができる。
【００２１】
一方、ＰＣＩ／ＵＳＢバス１１７には、テレビジョン放送を受信するチューナ（１）１１８、チューナ（２）１１９、ＧＰＳ１２１、３Ｄセンサ１２２等が接続されている。
【００２２】
複数のチューナ１１８、１１９を具備することのよって、例えば、一方のチューナ（１）で受信した放送を視聴しつつ、他方のチューナ（２）で裏番組を録画することができる。また、後述するように、チューナを複数具備することにより、放送の視聴や録画を中断することなく、使用してないチューナを用いてチャネルスキャンを実行することが可能となる。
【００２３】
ＰＣＩ／ＵＳＢバス１１７には、情報処理装置１が使用されている地域や位置を検出することができるＧＰＳ１２１（地域検出部）や、情報処理装置１の姿勢角を磁気センサ等で検出する３Ｄセンサ（姿勢角検出部）が接続されている。
【００２４】
本装置のようにチューナ（１）１１８、（２）１１９が内蔵された情報処理装置１でテレビジョン放送を室内で視聴するときには、図２に示したように、据え置き型のテレビと同様に室内に設置されたアンテナ端子２００とチューナ（１）１１８、（２）１１９とをケーブルで接続して使用する形態が一般的である。アンテナ端子２００には、同軸ケーブル等を介して、屋外アンテナ２０１やケーブルテレビ（ＣＡＴＶ）ネットワークに接続されている。
【００２５】
一方、本実施形態に係る情報処理装置１は、携帯型の情報処理装置１であり、移動中や移動先での使用を前提としている。移動中や移動先でテレビジョン放送を視聴する場合には、図３（ａ）、（ｂ）に例示したように、情報処理装置１の構成品としてのアンテナ１２０である外部アンテナ１２０ａや内蔵アンテナ１２０ｂを使用することになる。
【００２６】
テレビジョン放送を視聴するためには、チャネルを選択する必要があるが、わが国では複数のチャネルが地域ごとに割り当てられており、視聴する地域に割り当てられている複数のチャネルの中から所望のチャネルを選択することになる。地域ごとに割り当てられているチャネルのリストを、以下割当チャネルリストと呼ぶ。
【００２７】
また、同じ地域内であっても、情報処理装置１が設置されている場所等によって電波環境が異なるため、割当チャネルリスト内のチャネルでも実際には受信できないチャネルもある。逆に、地域の境界に近い場所に情報処理装置１が設置されているような場合には、隣の地域に割り当てられているチャネルを受信できる場合もある。そこで、実際にチャネルをスキャンして、現在の情報処理装置１が設置されている環境で受信することができるチャネルを検出し、検出したチャネルから実際に受信可能なチャネルのリスト（以下、このリストを受信可能チャネルリストという）を作成し、保存する処理が一般的に行われている。
【００２８】
図４は、従来から行われている一般的な受信可能チャネルリストの作成・保存処理の一例を示すフローチャートである。
【００２９】
現在の使用地域がわかる場合には（ステップＳＴ１のＹＥＳ）、使用地域に割り当てられている割当チャネルリストを入手する（ステップＳＴ２）。わが国の全地域に対応する割当チャネルリスト（以下、全地域割当チャネルリストと呼ぶ）は、情報処理装置１の出荷前に予め所定の不揮発性メモリに格納されている場合もある。また、インターネット等から全地域割当チャネルリストを入手して所定の不揮発性メモリに保存してもよい。
【００３０】
視聴する地域がわかる場合は、ユーザが地域を情報処理装置１に入力することにより、全地域割当チャネルリストの中から該当する地域の割当チャネルリストを抽出する。
【００３１】
次に、チャネルスキャンの実行をユーザが指示することにより、割当チャネルリストの中の各チャネルを順次切り替えながら（チャネルスキャン）実際に受信することができるチャネルを検出し、受信可能チャネルリストを作成する（ステップＳＴ４）。
【００３２】
一方、使用する地域が不明な場合は（ステップＳＴ１のＮｏ）、わが国のテレビジョン放送に割り当てられている全チャネル（全周波数）のチャネルスキャンの実行をユーザが指示し、全チャネルに対するチャネルスキャンの結果に基づいて受信可能チャネルリストを作成する（ステップＳＴ３）。
【００３３】
作成した受信可能チャネルリストをＨＤＤ１０７等の適宜の不揮発性メモリに保存し（ステップＳＴ５）、ユーザの要求に応じて受信可能チャネルリストを適宜提示する（例えば、表示部１０５に表示する）。
【００３４】
情報処理装置１を室内の特定の位置に据え置いて使用する場合には、電波環境はそれ程変化しないため、一度作成した受信可能チャネルリストを使用しつづけることができる。しかしながら、同じ建物内であっても情報処理装置１を部屋から部屋へ移動させて使用する場合には、電波環境が変化するため、一度作成した受信可能チャネルリストが使用できない場合が発生する。受信可能チャネルリストのうち、あるチャネルは受信できても他のチャネルは受信できなくなるといった事象が頻繁に発生しうる。
【００３５】
また、情報処理装置１を、地域を跨いで移動させて使用する場合（例えば、東京と大阪を出張で行き来する場合）には、そもそも割当チャネルリストが異なるため、受信可能チャネルリストを移動の都度作成しなおす必要がある。
【００３６】
従来から行われている一般的な受信可能チャネルリストの作成方法（図４のフローチャートの各処理）では、各ステップにおいてユーザの操作（地域情報の入力操作や、チャネルスキャンの実行指示のための操作）が必要であり、携帯型の情報処理装置１のように受信可能チャネルの更新を頻繁に行うことが必要な場合には、非常に面倒である。
【００３７】
また、チャネルスキャンには一定の時間を要するため、ユーザがテレビジョン放送をすぐに見たい場合でもチャネルスキャンが終了するまで待たざるを得ず、不便である。また、使用地域が不明な場合は全チャネルのスキャンを行う必要があるが、この場合（ステップＳＴ３）にはさらに時間を要することとなる。
【００３８】
そこで、本発明の第１の実施形態に係る情報処理装置１では、このような問題を解消するため、ユーザが特別な操作をすることなく自動的にチャネルスキャンを実行し、ユーザがテレビジョン放送を視聴しようとするときには、受信可能チャネルリストがその使用環境における最新のものに更新されているようにしている。
【００３９】
図５は、第１の実施形態に係る情報処理装置１の機能のうち、特にテレビジョン放送の受信に関わる機能を抽出した機能ブロック図である。図１のハードウェアブロック図と同じ構成に対しては同じ符号を付している。なお、図５は、後述する他の実施形態にも対応する機能ブロック図である。
【００４０】
図６は、第１の実施形態に係る情報処理装置１のチャネルスキャン方法の処理例を示すフローチャートである。以下、図５の機能ブロック図を参照しつつ、図６のフローチャートに基づいて第１の実施形態に係るチャネルスキャン方法について説明する。
【００４１】
まず、ステップＳＴ１０では、情報処理装置１の使用状況の監視を行う。ここで、使用状況の監視とは、情報処理装置１がテレビジョン放送の視聴用として使用される状況の監視をすることであり、具体的には、テレビジョン放送の映像を表示部１０５に表示可能とするための操作がユーザによってなされたか否かを監視する。
【００４２】
より具体的には、情報処理装置１の電源をオンとする操作、スタンバイモードやハイバネーションモード等の節電モードから復帰させる操作、スクリーンセイバーモードから復帰させる操作、テレビジョン放送を視聴するためのＴＶアプリケーションソフトウェアの起動操作等が映像を表示部１０５に表示可能とするための操作に該当する。これらの操作の監視、即ち、使用状況の監視は、監視部１４で行う。
【００４３】
表示可能とする操作が行われた場合には（ステップＳＴ１１のＹｅｓ）ステップＳＴ１２へ進み、表示可能とする操作が行われない場合は（ステップＳＴ１１のＮｏ）引き続き使用状況の監視を継続する。
【００４４】
ステップＳＴ１２では、未使用のチューナがあるか否かを判断する。具体的には、ＴＶアプリケーションソフトウェアの予約録画リストを参照し、現在録画に使用中のチューナだけでなく、チャネルスキャンをこれから行ったとした場合にその間に録画が開始される予定のチューナも含めた上で、チャネルスキャンに使用できるチューナがあるか否かを判断する。また、ＴＶアプリケーションソフトウェアの起動操作がなされた場合には、ＴＶアプリケーションソフトウェアでのチューナ使用を優先した上で、使用できるチューナがあるか否かを判断する。
【００４５】
使用できるチューナがないと判断された場合には（ステップＳＴ１２のＮｏ）、その時点で処理を一旦中断し、ステップＳＴ１３へ進む。そして、中断時間が所定の時間に達するまではチューナの使用が終了するのを待ち（ステップＳＴ１３のＮｏ）、中断時間が所定の時間を超えて場合（タイムアウト）には、チャネルスキャンを一旦あきらめて装置の使用状況の監視を行う。
【００４６】
チャネルスキャンに使用できるチューナが有ると判断された場合には、ユーザが設定した情報に基づいてチャネルスキャンを行う対象となるチャネルスキャン候補を選択する（ステップＳＴ１４）。
【００４７】
記憶部１７（記憶部１７は、専用の不揮発性メモリで構成してもよいし、ＨＤＤ１０９の所定の記憶領域に設けても良い）には、前述した全地域割付チャネルリストが記憶されており、情報処理装置１が現在置かれている地域をユーザが設定する（入力する）ことにより、該当する地域の割当チャネルリストが選択されて、これがチャネルスキャンの候補となる。割当チャネルリストの選択（チャネルスキャンの候補の選択）は、スキャン制御部１１が行う。なお、選択された割当チャネルリストに対して、ユーザが手動で特定のチャネルを追加したり、削除したりして割当チャネルリストを変更できるようにしてもよい。また、チャネルスキャンの候補をユーザが独自に設定できるようにしてもよい。
【００４８】
次に、スキャン制御部１１は、チャネルスキャンの候補に基づいて、未使用のチューナ（図５の例では、チューナ（１）１１８及び（２）１１９のいずれか）に対してチャネルスキャンを実行させる（ステップＳＴ１５）。そして、受信可能なチャネルを順次検出していく（ステップＳＴ１６）。
【００４９】
受信可能なチャネルの検出は、未使用のチューナ（チューナ（１）１１８及び（２）１１９のいずれか）から出力される受信状況情報（例えば、受信レベル、Ｃ／Ｎ比、エラーレート等）に基づいて行われる。
【００５０】
次に、検出された受信可能なチャネルから受信可能チャネルリストを作成し、記憶部１７に保存する。なお、受信可能チャネルリストが既に保存されている場合には、今回検出された受信可能なチャネルによって受信可能チャネルリストを更新する（ステップＳＴ１７）。
【００５１】
作成された（或いは更新された）受信可能チャネルリストは、表示部１０５に表示させることにより、ユーザに提示される。ユーザは提示された受信可能チャネルリストの中から、所望のチャネルを選択し、チャネル制御部１５を介して所望のチャネルをチューナに設定することができる。
【００５２】
第１の実施形態に係る情報処理装置１では、装置の使用状況の監視によってチャネルスキャンが自動的に開始されるため、ユーザの操作負担が軽減される。また、使用状況の監視は、ＴＶアプリケーションソフトウェアの起動操作だけでなく、電源をオンとする操作、スタンバイモードやハイバネーションモード等の節電モードから復帰させる操作、スクリーンセイバーモードから復帰させる操作等の監視が含まれるため、ＴＶアプリケーションソフトウェアの起動動作完了時には、更新された最新の受信可能チャネルリストを使用することができる。
【００５３】
（２）その他の実施形態
図７は、第２の実施形態に係るチャネルスキャン方法の処理例を示すフローチャートである。第１の実施形態と同じ処理に対しては同じステップ番号を付している。
【００５４】
第１の実施形態との相違点は、情報処理装置１の使用地域に関する情報を、ＧＰＳ等の地域検出部１２から取得する処理（ステップＳＴ１００）を付加している点である。
【００５５】
この処理の付加によって、情報処理装置１を、地域間を跨いで移動させて場合でも、ユーザが手動で地域情報を入力することなく、記憶部１７の全地域割当チャネルリストから移動先の地域の割当チャネルリストを自動的に抽出することが可能となり、操作性が向上する。また、設置地域が不明のために全チャネルに対してチャネルスキャンを実施するという事態も起こらないため、最低限の時間で受信可能チャネルリストを更新することができる。
【００５６】
図８は、第３の実施形態に係るチャネルスキャン方法の処理例を示すフローチャートであり、第１の実施形態と同じ処理に対しては同じステップ番号を付している。
【００５７】
第３の実施形態では、チャネルスキャンの対象チャネルを、情報処理装置１が設置されている位置において過去に受信できたチャネルのリスト（以下、チャネルリスト履歴という）に基づいて決定している。チャネルリスト履歴は、第２の記憶部１６（第２の記憶部１６は、専用の不揮発性メモリで構成してもよいし、ＨＤＤ１０９の所定の記憶領域に設けても良い）に記憶されている。チャネルリスト履歴は、過去に受信できたチャネルのリストとその位置とが関連付けられて第２の記憶部１６に記憶されている。
【００５８】
ステップＳＴ１０１で、ＧＰＳ等で位置情報を取得した後、その位置に関連付けられているチャネルリスト履歴を第２の記憶部１６から読み出す（ステップＳＴ１０２）。そして読み出したチャネルリスト履歴に基づいてチャネルスキャンを実行する（ステップＳＴ１０３）。
【００５９】
過去にその位置で受信に成功したチャネルに対してチャネルスキャンを行うことのより、確実にかつ短時間で受信可能チャネルリストを更新することができる。チャネルリスト履歴に基づいて早期に受信チャネルリストを更新した後、過去には受信できていないが割当チャネルリストにはあるチャネルをスキャンし、このスキャンで受信できたチャネルを更新した受信可能チャネルリストに追加するようにしてもよい。
【００６０】
また、最新のチャネルスキャンの結果に基づいて、チャネルリスト履歴の更新を行う（ステップＳＴ１０４）。
【００６１】
図９は、第４の実施形態に係るチャネルスキャン方法の処理例を示すフローチャートであり、第１の実施形態と同じ処理に対しては同じステップ番号を付している。
【００６２】
第４の実施形態では、第３の実施形態におけるチャネルリスト履歴に、過去に受信できたチャネルに関連付ける情報として、位置情報だけでなく過去に受信できたときの情報処理装置１の姿勢角情報も加えている。
【００６３】
同じ位置に設置された情報処理装置１であっても、情報処理装置１の向き（姿勢角）が変ると内蔵するアンテナ１２０の向きも変ってしまい、受信環境が変化する。そこで、過去に受信できたチャネルを位置と姿勢角とに関連付けることによって、より再現性の高いチャネルリスト履歴とすることができる。
【００６４】
情報処理装置１の姿勢角情報は、情報処理装置１に内蔵する３Ｄセンサ等の姿勢角検出部１３から取得する（ステップＳＴ１１０）。そして、この姿勢角情報とステップＳＴ１０１で取得した位置情報とから、これらに関連付けられているチャネルリスト履歴を第２の記憶部１６から読み出す（ステップＳＴ１１１）。そして、読み出したチャネルリスト履歴に基づいてチャネルスキャンを実行し、受信可能チャネルを更新する（ステップＳＴ１０３、ステップＳＴ１６、ステップＳＴ１７）。その後、チャネルリスト履歴をさらに更新する（ステップＳＴ１０４）。
【００６５】
第４の実施形態では、過去に受信できたときの情報処理装置１の位置のみならず姿勢角がチャネルリスト履歴に関連付けられているため、受信状態の再現性が高く、より確実にかつ短時間で受信可能チャネルリストを更新することができる。
【００６６】
なお、第４の実施形態に係る情報処理装置１では、姿勢角と位置とを検出することができるため、これらの情報に基づいて、過去に受信できたときの情報処理装置１の向きやアンテナ１２０の向きを表示部１０５に表示させることもできる。ユーザはこの表示によって、情報処理装置１やアンテナ１２０の向きを受信の可能性の高い向きに設定することが容易となる。また、最寄りの送信アンテナの位置を予め取得しておき、送信アンテナの方向に情報処理装置１やアンテナ１２０の向きを設定するための支援用表示を表示部１０５に表示させるようにしてもよい。
【００６７】
図１０は、第５の実施形態に係るチャネルスキャン方法の処理例を示すフローチャートである。第１の実施形態と同じ処理に対しては同じステップ番号を付している。
【００６８】
第１の実施形態との相違点は、チャネルスキャンを自動的に開始するための監視を、装置の使用状況ではなく、テレビジョン放送の受信状態を監視するようにしている点である。もちろん、第１の実施形態と同様の使用状況の監視を行いつつ、受信状態の監視を併用するようにしてもよい。
【００６９】
具体的には、一方のチューナ（例えばチューナ（１）１１８）で視聴、或いは録画しているときに、その受信レベルや受信品質等の受信状態を監視し（ステップＳＴ２００、ステップＳＴ２０１）する。そして、受信レベルや受信品質が所定値よりも低下したことによって受信状態の変化を検出すると、移動等によって電波環境が変化したものと判断し、使用していない他方のチューナ（例えばチューナ（２）１１９）を使用してチャネルスキャンを実行して受信可能チャネルリストを自動的に更新する。第５の実施形態では、ＧＰＳ等の位置検出手段を具備しない装置であっても、位置の変化を受信状態の変化として検出し、これにより自動的な受信可能チャネルリストの更新が可能となる。
【００７０】
以上説明してきたように、本発明に係る情報処理装置及びそのチャネルスキャン方法によれば、ＴＶチューナを内蔵する情報処理装置において、チャネルスキャンが必要なときには、ユーザがそのための操作をすることなく、自動的にチャネルスキャンを実行し、受信可能チャネルリストを短時間でかつ確実に更新することができる。
【００７１】
なお、本発明は上記の実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせても良い。
【図面の簡単な説明】
【００７２】
【図１】本発明に係る情報処理装置の一実施形態の構成例を示すハードウェアブロック図。
【図２】本発明に係る情報処理装置の使用形態の一例を示す第１の図。
【図３】本発明に係る情報処理装置の使用形態の一例を示す第２の図。
【図４】従来のチャネルリスト取得方法の一例を示すフローチャート。
【図５】本発明に係る情報処理装置の一実施形態の機能ブロック図。
【図６】第１の実施形態のチャネルスキャン方法の一例を示すフローチャート。
【図７】第２の実施形態のチャネルスキャン方法の一例を示すフローチャート。
【図８】第３の実施形態のチャネルスキャン方法の一例を示すフローチャート。
【図９】第４の実施形態のチャネルスキャン方法の一例を示すフローチャート。
【図１０】第５の実施形態のチャネルスキャン方法の一例を示すフローチャート。
【符号の説明】
【００７３】
１  情報処理装置
１１  スキャン制御部
１２  地域検出部（ＧＰＳ）
１３  姿勢角検出部（３Ｄセンサ）
１４  監視部
１５  チャネル制御部
１６  第２の記憶部
１７  記憶部
１０５  表示部（ＬＣＤ）
１０８  録画部（ＨＤＤ）
１１８  チューナ（１）
１１９  チューナ（２）
１２０  アンテナ
【図１】
2009290587.tif 000003
【図２】
2009290587.tif 000004
【図３】
2009290587.tif 000005
【図４】
2009290587.tif 000006
【図５】
2009290587.tif 000007
【図６】
2009290587.tif 000008
【図７】
2009290587.tif 000009
【図８】
2009290587.tif 000010
【図９】
2009290587.tif 000011
【図１０】
2009290587.tif 000012